(57)【要約】【課題】  パイプ端部を切断するにあたり、切り口部の変形を防止して補正工程の削減を図ると同時に、設備構成が複雑化しないようにする。【解決手段】  パイプＰの挿通孔３ｈを備えたメス型３と、パイプＰの端部内に挿入可能な一対のオス型５によってパイプ端部をプレスカットするようにし、メス型３の挿通孔３ｈにパイプＰを挿通させて押し込むことにより、一対のオス型５がパイプ端部の内部に入り込むようにする。そしてオス型５を保持する一対のオス型保持部材４間の空間部１１にクサビ状のカムドライバ１５を打ち込み、オス型５を半径方向の外側に移動させてパイプ端部を半円弧状にプレスカットする。【選択図】      図２
2007038260.tif 000002
【特許請求の範囲】
【請求項１】
オス型とメス型をお互いにすれ違う方向に相対移動させてパイプ端部をプレスカットする方法であって、前記メス型によってパイプ端部近傍の外周部を拘束するとともに、複数に分割したオス型をパイプ端部の内部に挿入し、これらオス型を、半径方向の外側に移動させてパイプ端部をプレスカットすることを特徴とするパイプ端部のプレスカット方法。
【請求項２】
オス型とメス型をお互いにすれ違う方向に相対移動させてパイプ端部をプレスカットする装置であって、パイプ端部近傍の外周部を拘束することのできるメス型と、パイプ端部の内部に挿入することが可能で且つ複数に分割されるオス型と、これらオス型を半径方向の外側に移動させることのできる駆動手段を備えたことを特徴とするパイプ端部のプレスカット装置。
【請求項３】
前記メス型とオス型は、種類の異なるパイプに適用し得るよう取換え可能にされることを特徴とする請求項２に記載のパイプ端部のプレスカット装置。
【発明の詳細な説明】
【技術分野】
【０００１】
本発明は、パイプの端部をプレスカットする際、後工程で形状補正等を行う必要性を無くすための技術に関する。
【背景技術】
【０００２】
従来、パイプの端部を円弧状にカットする場合、図６に示すように、上型５１と下型５２によってパイプＰの端部近傍の外周を拘束しておき、パイプＰの端部にピアスパンチ等のカット刃５３を打ち下ろして円弧状に切断するような方法が一般的である。
また、パイプを切断する際、切断部の変形を少なくするような技術として、例えば、パイプの両端の開口部からパイプ内に、ロッドとスリーブからなる一対の内部支持部材を挿入して切断位置で対向させ、ロッドを引き抜き方向に引張ることによりパイプの内面に外側押圧力を加え、この状態で切断位置に外部から剪断力を加えて切断する技術（例えば、特許文献１参照。）や、パイプ内に固定芯金や可動芯金を挿入することによりパイプ内面を支持した状態で、外部の上刃と下刃で剪断力を与えて切断するような技術（例えば、特許文献２参照。）などが知られている。
【特許文献１】特開平８−２６７３１０号公報
【特許文献２】特開２００２−２１０６１０号公報
【発明の開示】
【発明が解決しようとする課題】
【０００３】
ところが、図６に示すようなカット刃５３により切断する方法では、図７（ａ）に示すように、いわゆるカットダレと称する切り口部分の変形が生じるため、次工程において、図７（ｂ）に示すような拡張補正型５４を使用して変形を補正する必要があり、どうしても二工程となって手間がかかると同時に、形状を補正することによって、切り口のパンチ上流側部分に０．５ｍｍ程度長さが長くなる部分ｘが生じるという問題があった。
また、特許文献１や特許文献２の技術の場合、パイプ内に内部支持部材や芯金等を挿入して、その端部を切断位置に臨ませる必要があるため、装置が複雑化するとともに、切断部を円弧状にする場合などには、特に複雑な装置構成になることが予想された。
【０００４】
そこで本発明は、パイプ端部を切断するにあたり、切り口部の変形を防止して補正工程の削減を図ると同時に、設備構成が複雑化しないようにすることを目的とする。
【課題を解決するための手段】
【０００５】
上記目的を達成するため本発明は、オス型とメス型をお互いにすれ違う方向に相対移動させてパイプ端部をプレスカットする方法において、前記メス型によってパイプ端部近傍の外周部を拘束するとともに、複数に分割したオス型をパイプ端部の内部に挿入し、これらオス型を、半径方向の外側に移動させてパイプ端部をプレスカットするようにした。
【０００６】
すなわち、従来のパイプカットは、オス型とメス型でプレスカットする場合、パイプの外側からオス型またはメス型をプレス移動させて切断する方式が一般的であるため、切断時にパイプが潰れないよう芯金等でパイプ内面を支持する必要があったが、発想を変えてパイプの内側から半径方向の外側に向けてオス型を移動させるようにすれば、メス型で外周を拘束するのは簡単であり、切断時のパイプの変形を簡易に防止できる。この際、パイプ内に挿入したオス型を半径方向の外側に移動させてパイプを切断するためには、オス型を少なくとも二つまたはそれ以上に分割する必要があるため、オス型を任意数に分割する。
また、パイプの切断形状等は任意であり、半円弧状に切断してもよく、直線状に切断してもよく、それ以外の形状に切断してもよい。
【０００７】
また、本発明では、オス型とメス型をお互いにすれ違う方向に相対移動させてパイプ端部をプレスカットする装置として、パイプ端部近傍の外周部を拘束することのできるメス型と、パイプ端部の内部に挿入することができ且つ複数に分割されるオス型と、これらオス型を半径方向の外側に移動させることのできる駆動手段を設けた。
そして、前述の方法によりパイプ端部を切断する。
この際、前記メス型とオス型を、種類の異なるパイプに適用し得るよう取換え可能にすれば、例えば角パイプや径の異なるパイプなど、適用できるパイプの種類が広がって便利である。
【発明の効果】
【０００８】
オス型とメス型をお互いにすれ違う方向に相対移動させてパイプ端部をプレスカットする際、パイプ端部近傍の外周部をメス型で拘束し、パイプ内に挿入されるオス型を複数に分割して各オス型を半径方向の外側に移動させてプレスカットすることにより、切断部の変形等を防止することができ、一回の工程で綺麗に切断できるとともに、装置構成を簡素化することができる。この際、装置のメス型とオス型を簡単に取換えできるようにしておけば、より便利である。
【発明を実施するための最良の形態】
【０００９】
本発明の実施の形態について添付した図面に基づき説明する。
ここで図１は本発明に係るプレスカット装置の正面図、図２は図１のＡ−Ａ方向から見た平面図、図３は図２のＢ−Ｂ線断面図、図４は図２のＣ−Ｃ方向から見たオス型保持部材及びオス型の説明図、図５はパイプ端部をプレスカットした状態の説明図である。
【００１０】
本発明に係るパイプ端部のプレスカット方法は、図５に示すようなパイプＰの端部を半円弧状に切断するにあたり、切り口部の変形を防止して補正工程の削減を図ると同時に、設備構成を簡素化できるようにされ、分割したオス型をパイプ端部の内部に挿入し、メス型でパイプ端部近傍の外周部を拘束するとともに、各オス型を半径方向の外側に移動させることによりプレスカットすることを特徴としている。
【００１１】
すなわち、従来では、図５に示すようなパイプＰの端部を半円弧状に切断する場合、パイプＰの径よりやや小さめの径のピアスパンチを用いて、図６に示すような方法でパイプＰの直径方向に打ち抜いて切断しているが、このような方法では、いわゆるカットダレが生じて形状補正の工程が必要になるとともに、パイプＰの打ち抜き方向上流側と下流側の長さに変化ｘが生じることについては前述の通りである。
【００１２】
本プレスカット装置１は、図１に示すように、基台２上に配設されるメス型３と、このメス型３に隣接して配設される一対のオス型保持部材４と、このオス型保持部材４の一端側に取着自在に取り付けられるオス型５と、オス型保持部材４をお互いの離反方向に移動させるための駆動手段６（図１）と、離反したオス型保持部材４を元の位置に復元させる復元手段７を備えている。
【００１３】
前記メス型３は、取付け部材８によって基台２に取付け固定するための取付け孔３ｓ（図３）を備えるとともに、中間部にパイプＰを挿通させることのできる挿通孔３ｈを備えており、この挿通孔３ｈはパイプＰの外径と概略同一径にされている。また、メス型３の先端側には、切断したスクラップ部を排出するための排出溝３ｅが前記挿通孔３ｈに連通する状態で左右方向に設けられており、この排出溝３ｅと挿通孔３ｈの交わる部分が切削刃部分とされ、また、この排出溝３ｅは、中央から左右方向に向けて徐々に広がった形状にされている。
【００１４】
前記一対のオス型保持部材４は、基台２に対して左右方向にスライド自在なそれぞれ一対の摺動部材９に取り付けられており、平素は復元手段７としてのリターンスプリング１０によって内側に向けて付勢されるとともに、その付勢状態において、一対のオス型保持部材４の中間部に、後述するクサビ状のカムドライバを打ち込むことのできる空間部１１が形成されるようになっている。
【００１５】
そして、それぞれのオス型保持部材４の先端部に、図４に示すような先端が半円弧状のオス型５が取付部材１２によって取着自在にされており、容易に取り換えることができるようにされている。そして、このオス型５の半円弧状部の周辺が切削刃部分とされている。
なお、摺動部材９の近傍には、摺動部材９のスライド量を規制するストッパ１３が基台２に固定されている。
【００１６】
前記駆動手段６は、オス型保持部材４の上方に設けられ且つ不図示の駆動源によって昇降自在な昇降台１４と、この昇降台１４の下方に取り付けられるクサビ状のカムドライバ１５を備えており、昇降台１４が降下した際、クサビ状のカムドライバ１５の先端が、前記空間部１１に入り込み、空間部１１の領域を押し広げ、オス型保持部材４を介してオス型５をお互いに離反する方向に移動させることができるようにされている。
なお、このような装置構成において、カムドライバ１５が当接するオス型保持部材４の空間部１１に対応する箇所や、オス型５の切削刃部分、メス型４の切削刃部分等の摩耗が生じ易い箇所に耐磨耗性を向上させるための表面処理をしておけば好適である。
【００１７】
以上のようなプレスカット装置１の作用等について説明する。
メス型３の挿通孔３ｈ内にパイプＰを挿入した後、パイプＰをオス型５の方向に押し込むことにより、図１に示すように、パイプＰ端部の内部に一対のオス型５が挿入された状態にして位置決めする。
【００１８】
次いで、昇降台１４をプレス降下させる。すると、カムドライバ１５の先端が空間部１１内に入り込み、オス型保持部材４を横に押し広げ、オス型５はパイプＰの半径方向の外側に移動することになり、パイプ端部はオス型５の切削刃部分とメス型３の切削刃部分によってプレスカットされ、スクラップは排出溝３ｅから排出される。
【００１９】
この際、切断部近傍のパイプＰの外周は、メス型３によって拘束されているため切断部の形状変形が生じることはない。
そして、切断が完了して昇降台１４が上昇すると、オス型保持部材４はリターンスプリング１０の作用により元の位置に復元する。
【００２０】
以上のような要領により、パイプＰの内側から外側に向けてオス型５を移動させることで、従来の形状補正工程を省略することができ、効率的に作業することができるようになった。
また、パイプの種類や径が変化する場合は、それに合わせてメス型３とオス型５を容易に交換できるため、便利である。
【００２１】
なお、本発明は以上のような実施形態に限定されるものではない。本発明の特許請求の範囲に記載した事項と実質的に同一の構成を有し、同一の作用効果を奏するものは本発明の技術的範囲に属する。
例えば、オス型５の分割数は二個に限定されるものではなく、またオス型５の切削刃部分の形状等は任意である。
【産業上の利用可能性】
【００２２】
パイプ端部を切断する際、形状補正工程を省略して一工程で済み、また設備構成が簡素化されているため、安価に構成でき、しかも、パイプの種類合わせてメス型とオス型の取り換えが容易であるため汎用性が高い。
【図面の簡単な説明】
【００２３】
【図１】本発明に係るプレスカット装置の正面図
【図２】図１のＡ−Ａ方向から見た平面図
【図３】図２のＢ−Ｂ線断面図
【図４】図２のＣ−Ｃ方向から見た説明図
【図５】パイプ端部をプレスカットした状態の説明図
【図６】従来のプレスカットの説明図
【図７】従来の不具合を説明する説明図
【符号の説明】
【００２４】
１…プレスカット装置、３…メス型、４…オス型保持部材、５…オス型、６…駆動手段、Ｐ…パイプ。
【図１】
2007038260.tif 000003
【図２】
2007038260.tif 000004
【図３】
2007038260.tif 000005
【図４】
2007038260.tif 000006
【図５】
2007038260.tif 000007
【図６】
2007038260.tif 000008
【図７】
2007038260.tif 000009